(57)【要約】【課題】液晶表示素子等のフラットディスプレイからなる表示素子を用いて警報表示を行う際に、注意喚起性及び判読性を向上させることが可能な表示装置及び警報表示方法を提供する。【解決手段】入力情報に応じて警報表示をなす表示装置であって、制御手段６が前記入力情報に基づいて前記警報表示を行うか否かを判定し、前記警報表示を行う場合（時刻ｔ１）は警報表示意匠５４の表示及び非表示を第１の所定周期Ｔ１で切り替えると共に背景領域５５が第２の所定周期Ｔ２で輝度変化するように光源２の明るさを切り替える。【選択図】図４
2008241645.tif 000002
【特許請求の範囲】
【請求項１】
入力情報に応じて警報表示をなす表示装置であって、
所定の警報表示意匠を背景領域内に表示する表示パネルと、
この表示パネルを照明する照明手段と、
この照明手段と前記表示パネルを制御する制御手段とを備え、
前記制御手段が前記入力情報に基づいて前記警報表示を行うか否かを判定し、前記警報表示を行う場合は前記背景領域が第１の所定周期で輝度変化するように前記照明手段の明るさを切り替えると共に前記警報表示意匠の表示及び非表示を第２の所定周期で切り替えることを特徴とする表示装置。
【請求項２】
前記照明手段が前記表示パネルを異なる色で照明可能に構成され、前記制御手段は前記警報表示を行う場合に照明色を変化させることを特徴とする請求項１記載の表示装置。
【請求項３】
入力情報に応じて警報表示をなす表示装置であって、
所定の警報表示意匠とこの警報表示意匠の背景とする背景領域とを発光により表示する表示パネルと、
この表示パネルを制御する制御手段とを備え、
前記制御手段が前記入力情報に基づいて前記警報表示を行うか否かを判定し、前記警報表示を行う場合に前記背景領域を第１の所定周期で輝度変化させると共に前記警報表示意匠の表示及び非表示を第２の所定周期で切り替えることを特徴とする表示装置。
【請求項４】
警報表示意匠を背景領域内に表示する警報表示方法であって、
前記背景領域を第１の所定周期で輝度変化させると共に前記警報表示意匠の表示及び非表示を第２の所定周期で切り替えることを特徴とする警報表示方法。
【請求項５】
入力情報に応じて警報表示をなす表示装置であって、
所定の警報表示意匠を背景領域内に表示する表示パネルと、
この表示パネルを少なくとも２種類の色で照明する照明手段と、
この照明手段と前記表示パネルを制御する制御手段とを備え、
前記制御手段が前記入力情報に基づいて前記警報表示を行うか否かを判定し、前記警報表示を行う場合に前記背景領域が第１の所定周期で色変化するように前記照明手段の照明色を切り替えると共に前記警報表示意匠の表示及び非表示を第２の所定周期で切り替えることを特徴とする表示装置。
【請求項６】
入力情報に応じて警報表示をなす表示装置であって、
所定の警報表示意匠とこの警報表示意匠の背景となる背景領域とを発光により表示可能な表示パネルと、
この表示パネルを制御する制御手段とを備え、
前記背景領域が少なくとも２種類の発光色で発光可能に構成されており、
前記制御手段は前記入力情報に基づいて前記警報表示を行うか否かを判定し、前記警報表示を行う場合に前記背景領域を第１の所定周期で色変化させると共に前記警報表示意匠の表示及び非表示を第２の所定周期で切り替えることを特徴とする表示装置。
【請求項７】
警報表示意匠を背景領域内に表示する警報表示方法であって、
前記背景領域を第１の所定周期で色変化させると共に前記警報表示意匠の表示及び非表示を第２の所定周期で切り替えることを特徴とする警報表示方法。
【請求項８】
前記第１の所定周期と前記第２の所定周期とを同期させてなることを特徴とする請求項１〜請求項７のうち何れか一つに記載の表示装置または警報表示方法。
【発明の詳細な説明】
【技術分野】
【０００１】
本発明は、液晶表示素子等のフラットディスプレイからなる表示素子を用いて警報情報をなす表示装置及び警報表示方法に関する。
【背景技術】
【０００２】
この種の表示装置として、例えば下記特許文献１に記載されているものが知られている。この表示装置は、例えば自動車のダッシュボードに組み込まれるもので、液晶表示素子からなる表示素子に、所定情報として、燃料タンク内に残存する燃料量（表示意匠）を表示させる共に、当該燃料量が所定の残存量を超えた場合に燃料補給マーク（警報表示意匠）を点滅表示させるものである。またこの種の表示装置の中には、燃料補給マークのような警報表示意匠は表示を維持した状態で警報表示意匠の背景領域を点滅するものもある。
【特許文献１】特開平１０−２３９１３３号公報（図３）
【発明の開示】
【発明が解決しようとする課題】
【０００３】
しかしながら、前記特許文献１記載の表示装置は、燃料補給マークだけが点滅するため、警報表示からすると注意喚起性に欠けてしまい、また背景領域を点滅するものは、背景領域だけが点滅するだけであるため、何に関する警報なのか瞬時に判読しづらいといった問題がある。
【０００４】
本発明は、この点に鑑みてなされたもので、その主な目的は、注意喚起性及び判読性を向上させることが可能な表示装置及び警報表示方法を提供するものである。
【課題を解決するための手段】
【０００５】
本発明は、前記目的を達成するため、入力情報に応じて警報表示をなす表示装置であって、所定の警報表示意匠を背景領域内に表示する表示パネルと、この表示パネルを照明する照明手段と、この照明手段と前記表示パネルを制御する制御手段とを備え、前記制御手段が前記入力情報に基づいて前記警報表示を行うか否かを判定し、前記警報表示を行う場合は前記背景領域が第１の所定周期で輝度変化するように前記照明手段の明るさを切り替えると共に前記警報表示意匠の表示及び非表示を第２の所定周期で切り替えることを特徴とする表示装置。
【０００６】
また本発明は、前記照明手段が前記表示パネルを異なる色で照明可能に構成され、前記制御手段は前記警報表示を行う場合に照明色を変化させることを特徴とする。
【０００７】
また本発明は、前記目的を達成するため、入力情報に応じて警報表示をなす表示装置であって、所定の警報表示意匠とこの警報表示意匠の背景とする背景領域とを発光により表示する表示パネルと、この表示パネルを制御する制御手段とを備え、前記制御手段が前記入力情報に基づいて前記警報表示を行うか否かを判定し、前記警報表示を行う場合に前記背景領域を第１の所定周期で輝度変化させると共に前記警報表示意匠の表示及び非表示を第２の所定周期で切り替えることを特徴とする。
【０００８】
また本発明は、前記目的を達成するため、警報表示意匠を背景領域内に表示する警報表示方法であって、前記背景領域を第１の所定周期で輝度変化させると共に前記警報表示意匠の表示及び非表示を第２の所定周期で切り替えることを特徴とする。
【０００９】
また本発明は、前記目的を達成するため、入力情報に応じて警報表示をなす表示装置であって、所定の警報表示意匠を背景領域内に表示する表示パネルと、この表示パネルを少なくとも２種類の色で照明する照明手段と、この照明手段と前記表示パネルを制御する制御手段とを備え、前記制御手段が前記入力情報に基づいて前記警報表示を行うか否かを判定し、前記警報表示を行う場合に前記背景領域が第１の所定周期で色変化するように前記照明手段の照明色を切り替えると共に前記警報表示意匠の表示及び非表示を第２の所定周期で切り替えることを特徴とする。
【００１０】
また本発明は、前記目的を達成するため、入力情報に応じて警報表示をなす表示装置であって、所定の警報表示意匠とこの警報表示意匠の背景となる背景領域とを発光により表示可能な表示パネルと、この表示パネルを制御する制御手段とを備え、前記背景領域が少なくとも２種類の発光色で発光可能に構成されており、前記制御手段は前記入力情報に基づいて前記警報表示を行うか否かを判定し、前記警報表示を行う場合に前記背景領域を第１の所定周期で色変化させると共に前記警報表示意匠の表示及び非表示を第２の所定周期で切り替えることを特徴とする。
【００１１】
また本発明は、前記目的を達成するため、警報表示意匠を背景領域内に表示する警報表示方法であって、前記背景領域を第１の所定周期で色変化させると共に前記警報表示意匠の表示及び非表示を第２の所定周期で切り替えることを特徴とする警報表示方法。
【００１２】
また本発明は、前記第１の所定周期と前記第２の所定周期とを同期させてなることを特徴とする。
【発明の効果】
【００１３】
本発明によれば、初期の目的を達成でき、注意喚起性及び判読性を向上させることが可能な表示装置及び警報表示方法を提供することができる。
【発明を実施するための最良の形態】
【００１４】
図１から図４は、本発明の一実施形態を示すもので、図１は本実施形態による表示装置の正面図、図２は図１のＡ−Ａ断面図、図３は本実施形態による表示装置のシステム構成を示すブロック図、図４は本実施形態において警報表示を時における警報表示意匠のオンオフ（表示及び非表示）と光源２の輝度変化を示すタイミング図である。
【００１５】
図１及び図２において、本実施形態による表示装置は、例えば自動車に搭載されるコンビネーションメータに組み込まれるもので、回路基板１と、光源（照明手段）２と、ケース３と、拡散板４と、表示パネル５と、制御手段６（図３参照）とを備えている。
【００１６】
回路基板１は、例えば硬質の印刷回路基板であり、光源２や制御手段６を搭載している。
【００１７】
光源２は、例えば発光ダイオードからなり、表示パネル５を背後から照明するバックライトと称されるもので、本例の場合は、白色と赤色とで発光色の異なる２種類の光源が適用されている。なおこのようなバックライトとしては、光源２からの光を受けて面状に発光する導光板を設けてもよい。
【００１８】
ケース３は、例えば乳白色の合成樹脂からなるもので、回路基板１上に拡散板４と表示パネル５を支持すると共に、光源２の光を表示パネル５側に導くライトケースとしても機能する。
【００１９】
拡散板４は、光源２からの光を拡散して表示パネル５に導くもので、光源２と表示パネル５との間に設けられている。
【００２０】
表示パネル５は、例えばポジ表示セグメント型の液晶表示パネルからなり、燃料タンク内の残存燃料量を表示する円弧状のバーグラフ形セグメントからなる第１の表示意匠（通常の表示意匠）５１と、変速装置のシフトポジションを所定形状のセグメント（群）にて表示する第２の表示意匠（通常の表示意匠）５２と、通常時（非警報時）は第１の表示意匠５１が残存燃料量であることを示す第３の表示意匠（通常の表示意匠）５３として、後に詳述する警報時は一定周期で表示及び非表示を繰り返すことで警報を行う警報表示意匠５４としてそれぞれ機能する給油マーク形状のセグメントと、これら第１〜第３の表示意匠５１〜５３及び警報表示意匠５４の背景を形成する背景領域５５とを有している。なおこの表示パネル５は、ポジ表示であるので、光源２からの光を受けると背景領域５５が発光し、第１〜第３の表示意匠５１〜５３及び警報表示意匠５４が遮光状態となる。
【００２１】
このように構成される表示パネル５と光源２は、図３に示すように、それぞれが制御手段６と接続されている。
【００２２】
制御手段６は、本例の場合、表示パネル５と光源２を制御及び駆動するマイクロコンピュータを用いることができ、例えばＣＡＮ（コントロール・エリア・ネットワーク）通信端子を通じて受信される各種入力情報に基づいて表示パネル５の表示動作と光源２の点消灯動作を制御する。
【００２３】
すなわち制御手段６は、残存燃料量、シフトポジションに関する入力情報を受信し、この入力情報に応じて後述する警報表示を行うか否かを判定し、警報表示を行わない場合（通常時）は、そのときの残存燃料量とシフトポジションを第１の表示意匠５１〜第３の表示意匠５３を通じて表示する。この通常時においては白色の光源２が点灯し、背景部５５を白色に照らすと共に、第１の表示意匠５１〜第３の表示意匠５３を遮光状態（黒色）で表示する。
【００２４】
一方、制御手段６は、残存燃料量に関する入力情報が予め定められた所定残存量以下であるか否かに基づいて警報表示を行う否かの警報判定を行い、図４に示すように、所定残存量以下である（警報表示を行う）と判定した場合に警報モードオン（時刻ｔ１）となり、白色の光源２を消灯して赤色の光源２を点灯させ、更にこの赤色の光源２を第１の所定周期Ｔ１をもって高輝度及び低輝度発光するようにその輝度を切り替えると共に警報表示意匠５４を第２の所定周期Ｔ２をもって表示及び非表示を切り替える処理を行う。
【００２５】
この結果、通常モードから警報モードに切り替わった際、背景領域５５の発光色が白色の光源２に基づく白色から赤色の光源２に基づく赤色に変化し、さらに発光色が赤色に変化した状態でその輝度が第１の所定周期Ｔ１をもって高輝度と低輝度に輝度変化すると共に警報表示意匠５４の表示及び非表示が第２の所定周期Ｔ２をもって切り替わるものである。この際、第１，第２の所定周期Ｔ１，Ｔ２は、互いに同期するように設定されており、光源２の輝度が高輝度のとき警報表示意匠５４が表示状態（遮光状態）となり、光源２の輝度が低輝度のとき警報表示意匠５４が非表示（透過状態となることで背景領域５５と同じ）となるものである。なお本例の場合は、残存燃料量が所定残存量よりも多くなるように給油することで警報モードがオフにならない限り、赤色の光源２（背景領域５５）の高輝度及び低輝度発光と警報表示意匠５４の表示及び非表示が終了しないようになっている。また警報モードのオン時にあっても、第１，第２の表示意匠５１，５２は警報モード前と同様に表示され、光源２が適度のときでも第１，第２の表示意匠５１，５２を認識できるようになっている。
【００２６】
以上の通り、本実施形態では、入力情報に応じて警報表示をなす表示装置であって、所定の警報表示意匠５４を背景領域５５内に表示する表示パネル５と、この表示パネル５を照明する光源（照明手段）２と、この光源２と表示パネル５を制御する制御手段６とを備え、制御手段６が前記入力情報に基づいて前記警報表示を行うか否かを判定し、前記警報表示を行う場合は警報表示意匠５４の表示及び非表示を第１の所定周期Ｔ１で切り替えると共に背景領域５５が第２の所定周期Ｔ２で輝度変化するように光源２の明るさを切り替えることにより、警報表示を行う場合は、警告表示意匠５４よりも広い背景領域５４の輝度を第１の所定周期Ｔ１で輝度変化させることで注意喚起性を向上させることができ、しかも警報表示意匠５４の表示及び非表示を第２の所定周期Ｔ２で切り替えることで判読性を向上させることができる。
【００２７】
また本実施形態では、表示パネル５が警報表示意匠５４の他に通常の表示意匠５１，５２を表示可能に構成されており、警報表示を行う場合に通常の表示意匠５１，５２の表示は維持した状態で背景領域５５の輝度を高輝度及び低輝度に変化させることにより、警報表示意匠５４に加えて通常の表示意匠５１，５２を表示できる。
【００２８】
また本実施形態では、光源２が表示パネル５を異なる色で照明可能に構成され、制御手段６が警報表示を行う場合に照明色を変化させることにより、注意喚起性や瞬読性（判読性）更に向上させることができる。
【００２９】
また本発明は、第１の所定周期Ｔ１と第２の所定周期Ｔ２とを同期させてなることにより、背景領域５５と警報表示意匠５４とで調和のとれた警報表示を行うことができる。
【００３０】
なお本実施形態では、表示パネル５として、光源２にて照明される受光型の液晶表示パネルを用いたが、例えば表示パネル５として、所定の警報表示意匠とこの警報表示意匠の背景とする背景領域とを発光により表示する自発光型の電界発光表示パネルを用い、警報表示を行う場合には背景領域を第１の所定周期で輝度変化させると共に警報表示意匠の表示及び非表示を第２の所定周期で切り替えるようにしてもよい。
【００３１】
また本実施形態では、背景領域５５が第１の所定周期Ｔ１で輝度変換するように設定したが、警報表示を行う場合に白色の光源２と赤色の光源２とを第１の所定周期Ｔ１で交互に点灯させることで、背景領域５５を二種類の色で色変化するようにしてもよい。
【図面の簡単な説明】
【００３２】
【図１】本発明の一実施形態による表示装置の正面図。
【図２】図１のＡ−Ａ断面図。
【図３】同実施形態による表示装置のシステム構成を示すブロック図。
【図４】同実施形態による警報表示を示すタイミング図。
【符号の説明】
【００３３】
１  回路基板
２  光源（照明手段）
３  ケース
４  拡散板
５  表示パネル
６  制御手段
５１  第１の表示意匠
５２  第２の表示意匠
５３  第３の表示意匠
５４  警報表示意匠
５５  背景領域
ｔ１  時刻
Ｔ１  第１の所定周期
Ｔ２  第２の所定周期
【図１】
2008241645.tif 000003
【図２】
2008241645.tif 000004
【図３】
2008241645.tif 000005
【図４】
2008241645.tif 000006